(57)【要約】【課題】乾式で施工でき、現場溶接の必要もなく、上下方向に連接するパネル幅が異なる場合にも、構造が簡単で取付けが容易で、金具やその取付け費用が少なくてすむ、壁パネルの取付け金具を提供する。【解決手段】建築物の鉄骨躯体の梁上面長手方向に沿って、Ｌ字状の定規部材の垂直部を所望幅だけ屋外側に張り出して固着し、鋼板を段状に折り曲げたイナヅマ型金物と取付け金具１０によりパネルを取り付ける。取付け金具１０は、垂直部１１とその中央部において屋外側に水平に折り曲げて、上段パネルの下端小口面を支持する支持部１２とからなり、この支持部１２の下方において、垂直部中心線上に屋内側に向かって水平なボルト１３を固着し、前記ボルト１３の下方において、下段パネルの上部に固着するボルトを挿通するルーズ孔１１ａを設けた。【選択図】図１
2007186992.tif 000002
【特許請求の範囲】
【請求項１】
平板部材に長孔を設け、該長孔の長軸に対して直交方向に離れて、Ｌ字形の定規部材に固定するためのボルト部材が該平板部材の片面に突起して設けられ、平板部材のボルト部材に対し長孔の反対側部分の中央部と両側部の間に切り込みがあって中央部のみが前記片面と反対の面の側に直角に折り曲げられて、長孔の長軸に平行な平面を形成し、前記平面がパネルの下端小口面に接するようにしたパネル取付け金具。
【請求項２】
前記片面において前記中央部から分離された両側部に突起が設けられた請求項１記載のパネル取付け金具。
【請求項３】
平板部材に長孔を設け、該長孔の長軸に対して直交方向に離れて、Ｌ字形の定規部材に固定するためのボルト部材が該平板部材の片面に突起して設けられ、平板部材のボルト部材に対し長孔の反対側部分の中央部と両側部の間に切り込みがあって両側部のみが前記片面とは反対の側に直角に折り曲げられて、長孔の長軸に平行な平面を形成し、前記平面がパネルの下端小口面に接するようにしたパネル取付け金具。
【請求項４】
前記片面において前記両側部から分離された中央部に突起が設けられた請求項３記載のパネル取付け金具。
【請求項５】
建築物の鉄骨躯体の梁の上面に長手方向に沿って、垂直面が所望幅で屋外側に張り出して固着されているＬ字状の定規部材に、パネルを取り付けるパネル取付け金具であって、垂直部と、該垂直部の上側中央部が屋外側に水平方向に折り曲げられて上段パネルの下端小口面を支持するように形成された支持部とからなり、該垂直部は、支持部の下方に固着され、屋内側に向かって水平方向に伸びるボルトと、該ボルトの下方に設けられた水平方向のルーズ孔とを有することを特徴とするパネル取付け金具。
【請求項６】
建築物の鉄骨躯体の梁上面長手方向に沿って、垂直面が所望幅で屋外側に張り出して固着されているＬ字状の定規部材に、パネルを取り付けるパネル取付け金具であって、垂直部と、該垂直部の上側両側部が屋外側に水平方向に折り曲げられて、上段パネルの下端小口面を支持するように形成された支持部とからなり、該垂直部は、支持部の下方に固着されて屋内側に向かって水平方向に伸びるボルトを有することを特徴とするパネル取付け金具。
【請求項７】
垂直部の上端に、定規部材の垂直面の頂部に懸架されるように室内側に向かって伸びる突部が形成されていることを特徴とする請求項５または６に記載のパネル取付け金具。
【請求項８】
請求項１〜７のいずれかに記載のパネル取付け金具を使用し、イナヅマ型金物は、少なくとも３箇所に、水平方向に伸びる屈曲部で屈曲し、略中央部がパネルから離れることにより、該略中央部をパネル取付け金具の突部と同水準に配置し、パネルに接する垂直部にはルーズ孔が設けられているパネル取付け構造。
【請求項９】
請求項１〜７のいずれかに記載のパネル取付け金具を使用し、各ＡＬＣパネルは、下部が、前記ボルト部材を支点として、上部が、建築物の壁面方向に自由であるようにロッキング可能で、耐震性を有することを特徴とするパネル取付け構造。
【発明の詳細な説明】
【技術分野】
【０００１】
この発明は、建築物の鉄骨躯体の梁に、軽量気泡コンクリート（ＡＬＣ）パネルなどの建築用パネルを取り付けて、壁面や開口部を構成する際に使用するパネル取付け金具に関し、特に建築現場で溶接の必要がないパネル取付け金具に関する。
【背景技術】
【０００２】
従来、建築物の鉄骨躯体の梁に、ＡＬＣパネルなどの建築用パネルを取り付けて外壁を構成する方法や、それに使用する取付け金具は、種々のものが開発され使用されている。また、このパネル取付けを乾式で施工でき、地震などで躯体が揺動した場合に、パネルが躯体の揺動に追随してロッキングし、その破損を防止して耐震性を高める工法もある。更に、パネルの取付け作業を屋内側からだけで施工できて、外部に足場を仮設する必要がないものや、建築現場で取付け金具と躯体との溶接作業が不要な工法も提案されている。
【０００３】
しかし、これらの取付け金具や工法では、一般に取付け金具の構造が複雑になったり、部品点数が多くなって高価になる問題があり、またこれらの取付け金具をパネルに固着するためにパネルに埋設するアンカーの位置精度を高くする必要があるので、熟練を要し、取付け金具の取付けに手数が掛かる問題もあった。また建築物の窓など開口部の位置によっては、上下方向に連接するパネル幅が異なることがあり、その場合は各パネルの上下に夫々取付け金具を配設するので、取付け金具の数が増え金具代や取付け工数が増加する問題があった。
【発明の開示】
【発明が解決しようとする課題】
【０００４】
この発明は、乾式で施工でき、現場溶接の必要もなく上下方向に連接するパネル幅が異なる場合にも、簡単な構造で容易に取付けられ、取付け金具やその取付け費用が少なくてすむパネル取付け金具を提供する。
【課題を解決するための手段】
【０００５】
本発明のパネル取付け金具は、いずれも建築物の鉄骨躯体の梁の上面に長手方向に沿って、垂直面が所望幅で屋外側に張り出して固着されているＬ字状の定規部材、および、鋼板を段状に折り曲げたイナヅマ型金物と併用され、パネル取付け構造を形成する。
【０００６】
本発明のパネル取付け金具は、第１の態様では、平板部材に長孔を設け、該長孔の長軸に対して直交方向に離れて、Ｌ字形の定規部材に固定するためのボルト部材が該平板部材の片面に突起して設けられ、平板部材のボルト部材に対し長孔の反対側部分の中央部と両側部の間に切り込みがあって中央部のみが前記片面と反対の面の側に直角に折り曲げられて、長孔の長軸に平行な平面を形成し、前記片面において前記中央部から分離された両側部に突起が設けられ、前記平面がパネルの下端小口面に接する。
【０００７】
第２の態様では、平板部材に長孔を設け、該長孔の長軸に対して直交方向に離れて、Ｌ字形の定規部材に固定するためのボルト部材が該平板部材の片面に突起して設けられ、平板部材のボルト部材に対し長孔の反対側部分の中央部と両側部の間に切り込みがあって両側部のみが前記片面とは反対の側に直角に折り曲げられて、長孔の長軸に平行な平面を形成し、前記片面において前記両側部から分離された中央部に突起が設けられ、前記平面がパネルの下端小口面に接する。
【０００８】
別の態様では、建築物の鉄骨躯体の梁の上面に長手方向に沿って、垂直面が所望幅で屋外側に張り出して固着されているＬ字状の定規部材に、パネルを取り付けるパネル取付け金具であって、垂直部と、該垂直部の上側中央部が屋外側に水平方向に折り曲げられて上段パネルの下端小口面を支持するように形成された支持部とからなり、該垂直部は、支持部の下方に固着され、屋内側に向かって水平方向に伸びるボルトと、該ボルトの下方に設けられた水平方向のルーズ孔とを有する。
【０００９】
別の態様では、建築物の鉄骨躯体の梁上面長手方向に沿って、垂直面が所望幅で屋外側に張り出して固着されているＬ字状の定規部材に、パネルを取り付けるパネル取付け金具であって、垂直部と、該垂直部の上側両側部が屋外側に水平方向に折り曲げられて、上段パネルの下端小口面を支持するように形成された支持部とからなり、該垂直部は、支持部の下方に固着されて屋内側に向かって水平方向に伸びるボルトを有する。
【００１０】
垂直部の上端に、定規部材の垂直面の頂部に懸架されるように室内側に向かって伸びる突起が形成されているのが好ましい。
【００１１】
本発明のパネル取付け構造は、前記のいずれかのパネル取付け金具を使用し、イナヅマ型金物は、少なくとも３箇所に、水平方向に伸びる屈曲部で屈曲し、略中央部がパネルから離れることにより、該略中央部をパネル取付け金具の突部と同水準に配置し、パネルに接する垂直部にはルーズ孔が設けられている。
【００１２】
または、前記のいずれかのパネル取付け金具を使用し、各ＡＬＣパネルは、下部が、前記ボルト部材を支点として、上部が、建築物の壁面方向に自由であるようにロッキング可能で、耐震性を有する。
【発明の効果】
【００１３】
本発明のパネル取付け金物は、以上詳細に説明したように構成されているので、ＡＬＣパネルを建築物の躯体に取り付けるに際し、作業は全て屋内側から施工できる。従って、屋外に足場を仮設する必要がなく、現場溶接の必要もなく、ＡＬＣパネルを容易に取り付けることができる。
【００１４】
また上・下段のＡＬＣパネルの幅が異なる場合には、単純化したパネル取付け金具を使用すれば良いので、金具代と取付け費用を節減することができる。
【発明を実施するための最良の形態】
【００１５】
本発明のパネル取付け金具１０、２０、３０は、後述のように、建築物の鉄骨躯体の梁３に固定された定規部材４およびイナヅマ型金物６と組み合わせてパネル取付け構造を形成する。
【００１６】
本発明のパネル取付け金具１０は、第１の形態では、図１および図２に示す通り、垂直部１１と、該垂直部１１から屋外側に水平に折り曲げられて伸長し、上段パネルの下端小口面を支持する支持部１２とからなり、この支持部１２の下方に固着され、屋内側に向かって伸長し、定規部材４の垂直面４ａに挿通および固定されるボルト１３と、前記垂直部１１の下方に設けられ、下段パネルの上部に固定するためのボルトを挿通するルーズ孔１１ａとを有する。
【００１７】
第２の形態のパネル取付け金具２０は、図５に示す通り、第１の形態のパネル取付け金具の垂直部１１のボルト１３より下方を省略したものである。
【００１８】
第３の形態のパネル取付け金具３０は、図６に示す通り、第１の形態のパネル取付け金具１０の支持部１２を省略したものである。
【００１９】
更に第４の形態のパネル取付け金具は、第１、第２の形態のパネル取付け金具１０、２０の垂直部１１、２１の上端に、定規部材４の垂直面４ａの頂部に懸架される少なくとも１か所の突起１４、２４を、屋内側に向かって固着したものである。
【００２０】
そして、第１の形態のパネル取付け金具１０は、上下段パネルの幅が同じ場合に使用するのに好適であり、第２、第３の形態のパネル取付け金具２０、３０は、上下段パネルの幅が異なる場合に使用するのに好適である。第１の形態のパネル取付け金具１０を使用して、躯体の梁３に固着されている前記定規部材４にパネル１を取り付ける際には、パネル１の上端部近辺に埋設した上部アンカー１ａに第１の形態のパネル取付け金具１０をボルト５で固定し、下端部には従来と同様の、鋼板を段状に折り曲げたイナヅマ型金物６を、下部アンカー１ａに仮に取り付けておく。
【００２１】
下側のパネル１を下段梁の定規部材の上方から吊り込み、下段梁の定規部材４に固定されている下側の第１の形態のパネル取付け金具１０の支持部１２に、パネルの下端小口面を支持させた状態で、このパネルの上端側に固定された上側のパネル取付け金具の中央部のボルト１３を、上段梁の定規部材４の垂直面４ａの孔に挿通し、ナット７で締着することにより、パネル取付け金具１０を上端梁の定規部材に固定し、共に、パネル下端部のイナヅマ型金物６と下部のパネル取付け金具１０の突起１４より下側とで下段梁の定規部材４の垂直面４ａを挟んで締着すればよい。
【００２２】
第２、３の形態のパネル取付け金具２０、３０を使用して、パネルを躯体に固着されている前記定規部材４に取り付ける際には、定規部材４に予め第２の形態のパネル取付け金具２０をボルト２３で固定し、上段パネルの下端部にはイナヅマ型金物６をボルト５で固定し、下段パネルの上端部には第３の形態のパネル取付け金具３０をボルト３３で固定しておき、前述の例と同様にして取付ければよい。
【００２３】
これらの作業は全て屋内側から施工できるので、屋外に足場を仮設する必要がなく、溶接の必要もないので、パネルを容易に取り付けることができる。また、これらのパネル取付け金具１０、２０、３０のボルト挿通孔は、ルーズ孔１１ａ、３１ａとなっているうえ、パネルの一方の端部のみを上段梁の定規部材４にボルト１３、２３、３３で固定し、他方の端部はイナヅマ型金物６とパネルとで下段梁の定規部材４を挟んで、ボルト５をルーズ孔に通すので、上下パネルのアンカー１ａの埋設位置が多少ずれていても、パネルを所定位置に取り付けることができる。
【００２４】
また、上下段パネルの幅が異なる場合には、単純化したパネル取付け金具を使用すれば良いので、金具代と取付け費用を節減することができる。更に、第１、第２のパネル取付け金具１０、２０の垂直部の上端には、少なくとも１か所の突起１４、２４を屋内側に向かって固着し、この突起を定規部材４の垂直面４ａの水平な頂縁部に懸架すれば、上段パネルの重量を取付けボルト５と分担して担持することができる。また、２個以上の突起１４、２４を同水準で設けておけば、パネル取付け金具１０、２０の位置決めが容易で、支持部１２、２２を水平に保持することができるし、前記突起１４、２４を中心線上の１か所に設ければ、その取付け位置の自由度を向上することができる。
【００２５】
以下、本発明の実施例を図面によって説明する。図１〜２は、各々第１実施例のパネル取付け金具１０の一例の斜視図であり、図１は、一対の突起１４を設けた例であり、図２は、突起１４を１か所に設けた例である。図３、４は、図１の取付け金具１０と、イナヅマ型金物６を使用して、ＡＬＣパネル１を躯体の梁３に取り付けた状態を示す縦断面図と背面図（図３のIV−IV矢視図）である。
【００２６】
図１のパネル取付け金具１０は、厚さ６ｍｍ、幅１２５ｍｍ、長さ１７２ｍｍのメッキ鋼板製で、平板状の垂直部１１と、その中央よりやや上部において、屋外側に水平に折り曲げた幅７０ｍｍ、長さ６０ｍｍの支持部１２とで形成されている。そして、垂直部１１の中心線上において、前記支持部１２のやや下方には、屋内側に向かって水平に伸びるボルト１３の基部が固着されている。図４に示すように支持部１２でＡＬＣパネル１を支持すると、地震などで建築物の躯体が壁面方向に揺動した場合には、各ＡＬＣパネル１はパネル取付け金具１０を固着したボルト１３を支点としてロッキング可能なので耐震性がある。
【００２７】
さらに、パネル取付け金具１０の垂直部１１の下端部近辺には横長のルーズ孔１１ａが設けられている。
【００２８】
本実施例では、パネル取付け金具１０の垂直部１１の上端に、１個又は複数の突起１４を同一水準で屋内側に向かって固定する。
【００２９】
図１に示すパネル取付け金具１０では、前記支持部１２より上方において、垂直部１１は、二股状の延長部を有し、その上端部には、相対する位置に一対の突起１４が同一水準で、屋内側に向かってプレス加工などで設けられている。
【００３０】
図３に示すように、突起１４を定規部材４の垂直面４ａの水平な頂縁部に引掛ければ、ＡＬＣパネル１の重量をパネル取付けボルト１３と定規部材４とで分担して支持することができる。また、図１のように、２個以上の突起１４を同水準で設けておけば、パネル取付け金具１０の位置決めが容易で、支持部１２を水平に保持することができる。
【００３１】
図２に示すパネル取付け金具１０では、前記支持部１２より上方において垂直部１１は、中心線に沿って伸びる延長部を有し、その上端部には１個の突起１４が屋内側に向かって配設されている。このように、突起１４を中心線上の１か所に設ければ、その取付け位置の自由度を向上することができる。
【００３２】
イナヅマ型金物６は、厚さ３．２ｍｍ、幅７０ｍｍ、長さ１１０ｍｍの鋼板を長手方向中央部に段差を設けて断面をイナヅマ型にしたもので、図１３に示すように、イナズマ型金物６の平面部の中心線上にはボルト挿通用のルーズ孔６ｂが設けられている。そして、イナヅマ型金物６の両側にリブが補強のために形成されている。
【００３３】
図１のパネル取付け金具１０を使用して、幅６００ｍｍ、厚さ１００ｍｍ、長さ３５００ｍｍのＡＬＣパネル１を、建築物の鉄骨躯体の梁３に取り付ける方法について以下に説明する。
【００３４】
図３〜４に示すように、前記梁３には、その長手方向に、厚さ４ｍｍ、水平部幅７０ｍｍ、垂直部高さ９０ｍｍのＬ字状の定規部材４が固着され、該定規部材４の垂直面４ａが屋外側に所望寸法だけ張り出すように、水平部４ｂが梁３の上面に所望間隔でボルトナット８で固定されている。また、前記垂直面４ａには、パネル幅にほぼ等しい間隔で、取付けボルトの外径よりもやや大きい直径のボルト孔が同水準で穿孔されている。従って、複数枚のＡＬＣパネル１が並置されて定規部材４に取り付けられる。
【００３５】
ＡＬＣパネル１を定規部材４に取り付けるために、ＡＬＣパネル１の上下の端部近辺にボルト５を固定するためのアンカー１ａを埋設する。このためには、ＡＬＣパネル１の上端部近辺の長辺小口面から中心に向かって横穴１ｃを穿孔し、パネル裏面からも前記横穴１ｃに直交する縦穴１ｂを穿孔する。そして管状で中央部にボルト孔が配設されているアンカー１ａを前記横穴１ｃに挿入する。パネル取付け金具１０のルーズ孔１１ａを貫通するボルト５を縦穴１ｂに挿入して、アンカー１ａのボルト孔に固定しておく。また、ＡＬＣパネル１の下端部近辺中央にも、同様にボルト５を固定するためのアンカー１ａを埋設し、イナヅマ型金物６を、そのルーズホール６ｂを貫通するボルト５で座金５ａを介して仮付けしておく。
【００３６】
前述のように、アンカー１ａやボルト５を取り付けた下段のパネル１を梁３の上方から吊込み、下段の梁３に固定されているパネル取付け金具１０の支持部１２に前記ＡＬＣパネル１の下端小口面を支持させる。パネル下端のイナヅマ型金物６とＡＬＣパネル１の表面の間に、下段の梁３の定規部材４の垂直面４ａを挟むように、ボルト５を締着する。なお、ボルト５は、前述のように仮付けしてあるので、締め直すことになる。以上の部分は、図３の下側では省略されており、図示される上段のＡＬＣパネル１の下端部分が対応するので、これを参照されたい。
【００３７】
前記ＡＬＣパネル１に固着されているパネル取付け金具１０の突起１４を、上段の梁３の定規部材４の垂直面４ａの頂部に引掛けた状態で、ボルト１３を定規部材４の垂直面４ａの孔に挿通させ、座金７ａを介してナット７で締着する。
【００３８】
このようにして下段のＡＬＣパネル１を取付けてから、その上の段のパネル１を同様に取付け、これを繰り返し、全てのＡＬＣパネル１を取り付けたら、相隣接するＡＬＣパネルの目地にシーリング材を充填すれば作業は完了する。なお、前述のＡＬＣパネル１やパネル取付け金具１０の寸法などは必要に応じて適宜選定すればよく、突起１４もパネル取付け金具１０の垂直部１１の延長部を折り曲げて形成してもよいが（図１４参照）、その高さはパネル取付け金具１０の垂直部１１の厚さ程度が望ましい。また、ＡＬＣパネル１に埋設するアンカー１ａは他の形状でもよく、パネル製造時に埋設しておいても良い。
【００３９】
前述のようにパネル取付け金具１０のボルト挿通孔がルーズ孔１１ａとなっているので、ＡＬＣパネル１の上端部を上段の梁３の定規部材４に固定しながら、ＡＬＣパネル１の下端部を、そこに固定したイナヅマ型金物６とＡＬＣパネル１とで下段の梁３の定規部材４を挟んでボルト締めする際に、上下段のＡＬＣパネルのアンカー１ａの埋設位置が多少ずれていても、ＡＬＣパネル１を所定位置に取り付けることができる。従って、作業性がよく、工期と費用を節減することができる。なお、定規部材４のボルト１３の挿通孔をルーズ孔にしてもよい。
【００４０】
図５は、第２実施例のパネル取付け金具２０を示す斜視図で、図６は、第３実施例のパネル取付け金具３０を示す斜視図である。図７〜１１は、これらのパネル取付け金具２０、３０を使用してＡＬＣパネルを躯体の梁３に取り付けた状態を示す。具体的には、図９に示すように、幅３００ミリのＡＬＣパネル２の上下に幅６００ミリのＡＬＣパネル１と１５を取付けている。
【００４１】
図７は、図８の(VI)−(VI)矢視図、図８は、図７の(VIII)−(VIII)矢視図でイナヅマ型金物を省略してある。図９は、パネルの配置の１例を示し、開口部（窓）２８が設けられている。なお、図７、８は、図９の点線丸（Ａ）の取付け部分を示す。また、図１０は、図１１の(X)−(X)矢視図、図１１は、図１０の(XI)−(XI)矢視図であり、図１０、１１は、図９の点線丸（Ｂ）の取付け部分を示す。
【００４２】
図５に示すパネル取付け金具２０は、図１のパネル取付け金具１０のボルト１３から下方の垂直部１１、ルーズ孔１１ａを省略し、長さを１００ｍｍにした以外は、図１のパネル取付け金具１０と同様である。
【００４３】
図６のパネル取付け金具３０は、図１〜２の前記パネル取付け金具１０の水平な支持部１２を削除し、ボルト１３から上方の垂直部１１も短くして突起１４も省略したものである。
【００４４】
この実施例では、上下段の梁３の定規部材４は、第１実施例と同様に、その垂直面４ａが屋外側に所望寸法張り出すように、水平部４ｂが梁３の上面に長手方向に、所望間隔でボルトナット８で固着されている。また、前記垂直面４ａには、パネル取付け金具２０のボルト２３またはパネル取付け金具３０のボルト３３を挿通するための孔が、所定間隔で同水準に穿孔されている。
【００４５】
図７〜８に示すように、これらのパネル取付け金具を使用してパネル１、２を定規部材４に取り付けるには、先ず定規部材４の垂直面４ａに３００ミリ間隔で、前記パネル取付け金具２０の突起２４を、垂直面４ａの上縁に懸架した状態で、ボルト２３を定規部材４の垂直面４ａに固定しておく。
【００４６】
幅６００ｍｍの下方のパネル１の中央上端部には、前記パネル取付け金具３０をボルト５で固定しておき、ＡＬＣパネル１の下端部には、実施例１と同様にイナヅマ型金物６（図示せず）をＡＬＣパネルに埋設したアンカーｌａ（図示せず）に仮に固定しておく。
【００４７】
また、幅３００ミリの中間のＡＬＣパネル２には、上端部にパネル取付け金具３０（図示せず）を固定し、ＡＬＣパネル１の下端部の裏面には、同様にイナヅマ型金物６を仮に固定しておく。
【００４８】
この状態で実施例１と同様にして下段のＡＬＣパネル１を吊り込み、上部のパネル取付け金具３０のボルト３３を定規部材４の垂直面４ａの孔に挿入してナット７で固定し、下端部では、ＡＬＣパネル１の外側面とイナヅマ型金物６の内側面との間に下段の定規部材４の垂直面４ａを挟んでボルトを締着する（図示せず）。それから、中間のＡＬＣパネル２の１枚を吊り込み、下端小口面をパネル取付け金具２０の水平な支持部２２に支持させた状態で、定規部材４の垂直面４ａを、パネルの外側面とイナヅマ型金物６の内側面との間に挟んでボルト５を締着する。
【００４９】
次にもう１枚のＡＬＣパネル２も同様にして取り付ける。
【００５０】
その後、図１０〜１１に示すように、中間のＡＬＣパネル２の上方にＡＬＣパネル１５を吊り込み、下端小口面をパネル取付け金具２０の水平な支持部２２に支持させた状態で、定規部材４の垂直面４ａの外側面をＡＬＣパネル１５とイナヅマ型金物６の内側面との間に挟んでボルト５を締着する。
【００５１】
この作業を繰り返せば各パネル１、２、１５を躯体梁３に取り付けることができる。そして、最後に各ＡＬＣパネル１、２、１５の目地部にシーリング材を充填すれば作業は完了する。
【００５２】
なお、図１のパネル取付け金具１０の代わりに図２のパネル取付け金具１０を使用すれば、建築物の隅角部など、定規部材４の端末が短い場合などにも対応することができる。
【００５３】
図１２〜１６は、イナヅマ型金物６の段部に、断面三角形の突起を設けた実施例を示す。パネル取付け金具１０の突起１４は折曲げ加工で形成され、前記突起の三角形の凹部に入り込むようになっている。図１２は図３に対応し、図１４は図１に対応する。図１５は、ＡＬＣパネル１の下端部にイナヅマ型金物６を取り付けた状態を示し、図１６は、パネル取付け金物１０によりＡＬＣパネル１の上端部を定規部材４に取り付けた状態を示す。
【図面の簡単な説明】
【００５４】
【図１】本発明の第１実施例の取付け金具の斜視図である。
【図２】本発明の第１実施例の取付け金具の斜視図である。
【図３】第１実施例の取付け金具を使用してパネルを躯体梁に取り付けた状況を示す縦断面図である。
【図４】図３の（IV）−（IV）矢視図である。
【図５】本発明の第２実施例の取付け金具の斜視図である。
【図６】本発明の第３実施例の取付け金具の斜視図である
【図７】第２および第３実施例の取付け金具を使用してパネルを躯体梁に取り付けた状況を示す正面図（図８の（VII）−（VII）矢視図）である。
【図８】図７の（VIII）−（VIII）矢視図である。
【図９】ＡＬＣパネルの配列を説明する図である。
【図１０】図１１の（X）−（X）矢視図である。
【図１１】図１０の（XI）−（XI）矢視図である。
【図１２】第１実施例の取付け金具を使用してパネルを躯体梁に取り付けた状況を示す縦断面図である。
【図１３】イナヅマ型金物の一例を示す斜視図である。
【図１４】本発明の実施例の取付け金具の斜視図である。
【図１５】イナヅマ型金物を取り付けたパネルの下端部の一例を示す斜視図である。
【図１６】パネルの上端部を自重受け金具を介して定規部材に取り付けた一実施例を示す斜視図である。
【符号の説明】
【００５５】
１、２、１５  パネル
１ａ  アンカー
１ｂ  縦穴
１ｃ  横穴
３  梁
４  定規部材
４ａ  垂直面
４ｂ  水平部
５、１３，２３、３３  ボルト
６  イナヅマ型金物
６ａ、６ｂ  ルーズ孔
７  ナット
７ａ  座金
８  ボルトナット
１０、２０、３０  パネル取付け金具
１１、２１、３１  垂直部
１１ａ、３１ａ  ルーズ孔
１２、２２  支持部
１４、２４  突起
２８  開口部
【図１】
2007186992.tif 000003
【図２】
2007186992.tif 000004
【図３】
2007186992.tif 000005
【図４】
2007186992.tif 000006
【図５】
2007186992.tif 000007
【図６】
2007186992.tif 000008
【図７】
2007186992.tif 000009
【図８】
2007186992.tif 000010
【図９】
2007186992.tif 000011
【図１０】
2007186992.tif 000012
【図１１】
2007186992.tif 000013
【図１２】
2007186992.tif 000014
【図１３】
2007186992.tif 000015
【図１４】
2007186992.tif 000016
【図１５】
2007186992.tif 000017
【図１６】
2007186992.tif 000018